(57)【要約】      （修正有）【課題】トルクコンバータを備え、加速終了後に生じる減速感をトリムアップによって軽減させると共に、トリムアップ時の船体の縦揺れを防止するようにした船外機の制御装置を提供する。【解決手段】内燃機関とドライブシャフトの間に介挿されるトルクコンバータと、船体に対するトリム角をトリムアップ／ダウン方向に調整可能なトリム角調整機構とを備える船外機の制御装置において、トルクコンバータの入力回転数と出力回転数からトルクコンバータの速度比ｅを算出し、算出された速度比ｅが所定値ｅrefｂ以上のとき（時点ｔ３）、トリム角調整機構を作動させてトリムアップを所定速度で開始し、算出された速度比ｅが増減するとき、それに応じて所定速度を変更する（時点ｔ３〜ｔ４）。【選択図】図１０
2010247752.tif 000002
【特許請求の範囲】
【請求項１】
内燃機関とプロペラを接続するドライブシャフトと、前記内燃機関と前記ドライブシャフトの間に介挿されるトルクコンバータと、船体に対するトリム角をトリムアップ／ダウン方向に調整可能なトリム角調整機構とを備える船外機の制御装置において、
ａ．前記トルクコンバータの入力回転数と出力回転数を検出し、前記検出された入力回転数と出力回転数から前記トルクコンバータの速度比を算出する速度比算出手段と、
ｂ．前記算出された速度比が所定値以上のとき、前記トリム角調整機構を作動させて前記トリムアップを所定速度で開始し、前記算出された速度比が増減するとき、それに応じて前記所定速度を変更するトリム角調整機構作動手段と、
を備えることを特徴とする船外機の制御装置。
【請求項２】
前記トリム角調整機構作動手段は、前記算出された速度比が増加するに連れて前記所定速度を減少させることを特徴とする請求項１記載の船外機の制御装置。
【請求項３】
ｃ．前記内燃機関のスロットル弁が開弁方向に駆動されているか否か判断するスロットル弁駆動方向判断手段、
を備えると共に、前記トリム角調整機構作動手段は、前記スロットル弁が開弁方向に駆動されていると判断されると共に、前記算出された速度比が前記所定値以上のとき、前記トリムアップを開始することを特徴とする請求項１または２記載の船外機の制御装置。
【請求項４】
ｄ．操船者に手動操作自在に設けられるスイッチ、
を備えると共に、前記トリム角調整機構作動手段は、前記スイッチが操作されるとき、前記トリム角調整機構を作動させることを特徴とする請求項１から３のいずれかに記載の船外機の制御装置。
【発明の詳細な説明】
【技術分野】
【０００１】
この発明は船外機の制御装置に関し、より詳しくはトルクコンバータを備えた船外機の制御装置に関する。
【背景技術】
【０００２】
近年、船外機において、トルクコンバータを内燃機関とドライブシャフトの間に介挿し、内燃機関の出力トルクを増幅させてドライブシャフトに伝達させることで、加速性能などを向上させるようにした技術が提案されている（例えば特許文献１参照）。尚、特許文献１記載の技術において、トルクコンバータはロックアップクラッチを有する。
【先行技術文献】
【特許文献】
【０００３】
【特許文献１】特開２００７−３１５４９８号公報
【発明の概要】
【発明が解決しようとする課題】
【０００４】
特許文献１記載の技術のようなトルクコンバータを備える船外機にあっては、加速が終了すると、ロックアップクラッチをオン（係合）させてトルクコンバータの滑りに起因する伝達ロスを防止するように構成される。しかしながら、ロックアップクラッチがオンされると、トルクコンバータによるトルクの増幅が行われなくなるため、ドライブシャフトに伝達されるトルクは減少し、操船者に減速感を与えるという不都合が生じていた。
【０００５】
そこで、ロックアップクラッチがオンされる前に、トリムアップを所定速度で開始してトリム角を調整するように構成し、船体の推力を増加させて船速を上昇させることで、減速感を軽減させることが考えられる。ところで、上記した所定速度は一般にトリムアップの開始から終了まで一定の値に設定されるが、そのように構成すると、バウダウン後（詳しくは、加速によって船首が上がり、その後加速の終了が近づくに連れて船首が下がって船体が略水平になった後）においても、開始時と同じ速度でトリムアップが行われるため、船体に縦揺れ（ピッチング）などの不具合が生じる恐れがあった。
【０００６】
従って、この発明の目的は上記した課題を解決し、トルクコンバータを備え、加速終了後に生じる減速感をトリムアップによって軽減させると共に、トリムアップ時の船体の縦揺れを防止するようにした船外機の制御装置を提供することにある。
【課題を解決するための手段】
【０００７】
上記した課題を解決するために、請求項１にあっては、内燃機関とプロペラを接続するドライブシャフトと、前記内燃機関と前記ドライブシャフトの間に介挿されるトルクコンバータと、船体に対するトリム角をトリムアップ／ダウン方向に調整可能なトリム角調整機構とを備える船外機の制御装置において、前記トルクコンバータの入力回転数と出力回転数を検出し、前記検出された入力回転数と出力回転数から前記トルクコンバータの速度比を算出する速度比算出手段と、前記算出された速度比が所定値以上のとき、前記トリム角調整機構を作動させて前記トリムアップを所定速度で開始し、前記算出された速度比が増減するとき、それに応じて前記所定速度を変更するトリム角調整機構作動手段とを備える如く構成した。
【０００８】
請求項２に係る船外機の制御装置にあっては、前記トリム角調整機構作動手段は、前記算出された速度比が増加するに連れて前記所定速度を減少させる如く構成した。
【０００９】
請求項３に係る船外機の制御装置にあっては、前記内燃機関のスロットル弁が開弁方向に駆動されているか否か判断するスロットル弁駆動方向判断手段を備えると共に、前記トリム角調整機構作動手段は、前記スロットル弁が開弁方向に駆動されていると判断されると共に、前記算出された速度比が前記所定値以上のとき、前記トリムアップを開始する如く構成した。
【００１０】
請求項４に係る船外機の制御装置にあっては、操船者に手動操作自在に設けられるスイッチを備えると共に、前記トリム角調整機構作動手段は、前記スイッチが操作されるとき、前記トリム角調整機構を作動させる如く構成した。
【発明の効果】
【００１１】
請求項１に係る船外機の制御装置にあっては、トルクコンバータの入力回転数と出力回転数からトルクコンバータの速度比を算出し、算出された速度比が所定値以上のとき、トリム角調整機構を作動させてトリムアップを所定速度で開始するように構成したので、例えば所定値を加速が終了してロックアップクラッチがオンされる直前の状態に相当する値に設定することも可能となり、よってロックアップクラッチがオンされる前にトリムアップを開始し、船体の推力を増加させて船速を上昇させることができる。それにより、加速終了後にロックアップクラッチがオンされてドライブシャフトに伝達されるトルクが減少するときであっても、船速はトリムアップによって上昇させられているため、操船者に減速感を与え難い、換言すれば、減速感を軽減させることができる。
【００１２】
また、トリムアップを所定速度で開始し、算出された速度比が増減するとき、それに応じて所定速度を変更するように構成したので、トルクコンバータの速度比に基づいて船体の状態を判断（例えば、船体がバウダウンした状態にあるか否か判断）し、船体の状態に応じた適切な速度でトリムアップを実行することが可能となり、よってトリムアップ時に生じる船体の縦揺れを防止することができる。
【００１３】
請求項２に係る船外機の制御装置にあっては、トルクコンバータの速度比が増加するに連れて所定速度を減少させるように構成、即ち、速度比が増加して加速の終了が近づくに連れてトリムアップの速度を減少させるように構成したので、上記した効果に加え、トリムアップを船体の状態に適した速度で実行でき、よってトリムアップ時に生じる船体の縦揺れを確実に防止することができる。
【００１４】
請求項３に係る船外機の制御装置にあっては、スロットル弁が開弁方向に駆動されていると判断、即ち、船体を加速させるような状態にあると判断されると共に、トルクコンバータの速度比が所定値以上のとき、トリムアップを開始するように構成したので、上記した効果に加え、確実に加速していると判断されるときにトリムアップを開始でき、よって加速終了後に生じる減速感を効果的に軽減させることができる。
【００１５】
請求項４に係る船外機の制御装置にあっては、操船者に手動操作自在に設けられるスイッチを備えると共に、スイッチが操作されるとき、トリム角調整機構を作動させるように構成したので、上記した効果に加え、操船者はスイッチを操作することでトリム角調整機構を作動させることができ、よってトリム角の調整を常に行うことが可能となる。
【図面の簡単な説明】
【００１６】
【図１】この発明の実施例に係る船外機の制御装置を船体も含めて全体的に示す概略図である。
【図２】図１に示す船外機の部分断面拡大側面図である。
【図３】図１に示す船外機の拡大側面図である。
【図４】図２に示すトルクコンバータ付近を拡大して示す拡大断面図である。
【図５】図２に示すトルクコンバータや油圧ポンプなどを模式的に示す油圧回路図である。
【図６】図１に示す電子制御ユニットの制御を示すフロー・チャートである。
【図７】図６のロックアップクラッチ動作実行判定処理のサブ・ルーチン・フロー・チャートである。
【図８】図６のトリムアップ実行判定処理のサブ・ルーチン・フロー・チャートである。
【図９】図８フロー・チャートの処理で使用される、トルクコンバータの速度比に対するトリムアップ信号のデューティ比のテーブル特性を示すグラフである。
【図１０】図６フロー・チャートの処理を説明するタイム・チャートである。
【図１１】図６フロー・チャートの処理を説明する説明図である。
【発明を実施するための形態】
【００１７】
以下、添付図面に即してこの発明に係る船外機の制御装置を実施するための形態について説明する。
【実施例】
【００１８】
図１は、この発明の実施例に係る船外機の制御装置を船体も含めて全体的に示す概略図である。また、図２は図１に示す船外機の部分断面拡大側面図であり、図３は船外機の拡大側面図である。
【００１９】
図１から図３において、符号１０は船外機を示す。船外機１０は、図示の如く、船体（艇体）１２の船尾（後尾）１２ａに取り付けられる（固定される）。
【００２０】
船外機１０は、図２に示すように、スイベルケース１４、チルティングシャフト１６およびスターンブラケット１８を介して船体１２に取り付けられる。また、船外機１０はマウントフレーム２０とシャフト部２２を備え、シャフト部２２がスイベルケース１４の内部に鉛直軸回りに回転自在に収容されることで、船外機１０は船体１２に対して鉛直軸回りに回転自在とされる。マウントフレーム２０は、その上端と下端が船外機１０の本体を構成するフレーム（図示せず）に固定される。
【００２１】
スイベルケース１４の付近には、シャフト部２２を駆動する操舵用電動モータ２４と、船外機１０の船体１２に対するチルト角およびトリム角をチルトアップ／ダウン方向およびトリムアップ／ダウン方向に調整可能なパワーチルトトリムユニット（トリム角調整機構）２６が配置される。操舵用電動モータ２４の回転出力は減速ギヤ機構２８、マウントフレーム２０を介してシャフト部２２に伝達され、よって船外機１０はシャフト部２２を操舵軸として左右に（鉛直軸回りに）操舵される。
【００２２】
パワーチルトトリムユニット２６は、船外機１０に配置された図示しない油圧回路に接続されるチルト角調整用の油圧シリンダ２６ａとトリム角調整用の油圧シリンダ２６ｂを一体的に備え、チルトアップ／ダウン信号あるいはトリムアップ／ダウン信号（後述）に基づいて油圧シリンダ２６ａ，２６ｂを伸縮させることで、スイベルケース１４がチルティングシャフト１６を回転軸として回転させられ、船外機１０はチルトアップ／ダウンあるいはトリムアップ／ダウンさせられる。尚、パワーチルトトリムユニット２６はデューティ比駆動（ＰＷＭ制御）され、その作動速度、具体的には、チルトアップ／ダウンあるいはトリムアップ／ダウンの速度は段階的または連続的に可変とされる。
【００２３】
船外機１０の上部には、内燃機関（以下「エンジン」という）３０が搭載される。エンジン３０は火花点火式の水冷ガソリンエンジンで、排気量２２００ｃｃを備える。エンジン３０は水面上に位置し、エンジンカバー３２によって覆われる。
【００２４】
エンジン３０の吸気管３４には、スロットルボディ３６が接続される。スロットルボディ３６はその内部にスロットル弁３８を備えると共に、スロットル弁３８を開閉駆動するスロットル用電動モータ４０が一体的に取り付けられる。
【００２５】
スロットル用電動モータ４０の出力軸は減速ギヤ機構（図示せず）を介してスロットル弁３８に接続され、スロットル用電動モータ４０を動作させることでスロットル弁３８が開閉され、エンジン３０の吸気量が調量されてエンジン回転数が調節される。
【００２６】
船外機１０は、鉛直軸と平行に配置されて回転自在に支持されるドライブシャフト（バーチカルシャフト）４２と、エンジン３０とドライブシャフト４２の間に介挿されるトルクコンバータ４４と、ドライブシャフト４２に取り付けられると共に、エンジン３０の潤滑部、パワーチルトトリムユニット２６およびトルクコンバータ４４などに作動油（オイル）を圧送する油圧ポンプ４６と、その作動油を貯留するリザーバ５０とを備える。
【００２７】
ドライブシャフト４２の上端にはエンジン３０のクランクシャフト５２がトルクコンバータ４４を介して接続される一方、下端にはシフト機構５４を介して水平軸回りに回転自在に支持されたプロペラシャフト５６が接続される。プロペラシャフト５６は、パワーチルトトリムユニット２６の初期状態（トリム角が初期角度の状態）において、その軸線５６ａが船体１２の進行方向に対して略平行となるように配置される。プロペラシャフト５６の一端にはプロペラ６０が取り付けられる。このように、ドライブシャフト４２はエンジン３０とプロペラ６０を接続する。
【００２８】
図４は、図２に示すトルクコンバータ４４付近を拡大して示す拡大断面図である。
【００２９】
図４に示す如く、トルクコンバータ４４は、クランクシャフト５２にドライブプレート６２を介して接続されるポンプ・インペラ４４ａと、ポンプ・インペラ４４ａに対向配置されて作動油が給排されると共に、ドライブシャフト４２に接続されるタービン・ランナ４４ｂと、ポンプ・インペラ４４ａとタービン・ランナ４４ｂの間に配置されるステータ４４ｃと、ロックアップクラッチ４４ｄなどからなる。
【００３０】
図５は、トルクコンバータ４４や油圧ポンプ４６などを模式的に示す油圧回路図である。
【００３１】
図５を参照しつつトルクコンバータ４４や油圧ポンプ４６などについて説明すると、油圧ポンプ４６はエンジン３０によって駆動され、リザーバ５０の作動油を汲み上げて第１の油路６４ａに圧送する。第１の油路６４ａに圧送された作動油は、エンジン３０の潤滑部やパワーチルトトリムユニット２６（図５で省略）などに供給された後、第２の油路６４ｂを介してリザーバ５０へ還流される。
【００３２】
第１の油路６４ａには第１の油路６４ａと油圧ポンプ４６の吸入口とを接続する第３の油路６４ｃが設けられ、その途中にはエンジン３０に供給される作動油の圧力が規定圧力以上のとき開弁する一方、規定圧力未満のときに閉弁するリリーフ弁６６が介挿される。
【００３３】
第１の油路６４ａにおいて油圧ポンプ４６の吐出口と第３の油路６４ｃの分岐点との間には、トルクコンバータ４４に供給される作動油を流通させる第４の油路６４ｄが接続される。また、第３の油路６４ｃにおいてリリーフ弁６６の下流側には、トルクコンバータ４４から油圧ポンプ４６へ戻る作動油を流通させる第５の油路６４ｅが接続される。第４、第５の油路６４ｄ，６４ｅには、ロックアップクラッチ４４ｄの動作を制御するロックアップ制御弁７０が設けられる。
【００３４】
ロックアップ制御弁７０は電磁弁からなり、その出力は一方ではトルクコンバータ４４のロックアップクラッチ４４ｄのピストン室４４ｄ１に接続されると共に、他方ではその背面側の室４４ｄ２に接続される。従って、ロックアップ制御弁７０が励磁・消磁されるときに油路を切替え、それによってロックアップクラッチ４４ｄのオン（係合）・オフ（解放）が制御される。
【００３５】
具体的には、ロックアップクラッチ４４ｄにあっては、ロックアップ制御弁７０が励磁されて作動油がピストン室４４ｄ１に供給される一方、背面側の室４４ｄ２から排出されると、オン（係合）される。また、ロックアップ制御弁７０が消磁されると（図５に示す状態。初期状態）、作動油は背面側の室４４ｄ２に供給されると共に、ピストン室４４ｄ１から排出され、ロックアップクラッチ４４ｄがオフ（解放）される。尚、上記したトルクコンバータ４４の詳細は、特許文献１に開示されているので、これ以上の説明を省略する。
【００３６】
図２の説明に戻ると、シフト機構５４は、ドライブシャフト４２に接続されて回転させられる前進ベベルギヤ５４ａと後進ベベルギヤ５４ｂ、プロペラシャフト５６を前進ベベルギヤ５４ａと後進ベベルギヤ５４ｂのいずれかに係合自在とするクラッチ５４ｃなどからなる。
【００３７】
エンジンカバー３２の内部にはシフト機構５４を駆動するシフト用電動モータ７２が配置され、その出力軸は、減速ギヤ機構（図示せず）を介してシフト機構５４のシフトロッド５４ｄの上端に接続自在とされる。シフト用電動モータ７２を駆動することにより、シフトロッド５４ｄとシフトスライダ５４ｅが適宜に変位させられ、それによってクラッチ５４ｃを動作させてシフトポジションがフォワード、リバースおよびニュートラルの間で切り替えられる。
【００３８】
シフトポジションがフォワードあるいはリバースのとき、ドライブシャフト４２の回転はシフト機構５４を介してプロペラシャフト５６に伝達され、よってプロペラ６０は回転させられ、船体１２を前進あるいは後進させる方向の推力を生じる。尚、船外機１０はエンジン３０に取り付けられたバッテリなどの電源（図示せず）を備え、それから各電動モータ２４，４０，７２などに動作電源が供給される。
【００３９】
図３に示す如く、スロットル弁３８の付近にはスロットル開度センサ７４が配置され、スロットル弁３８の開度ＴＨ（以下「スロットル開度」という）を示す出力を生じる。シフトロッド５４ｄの付近には、シフト位置センサ８０が配置されてシフトポジション（ニュートラル、フォワードおよびリバース）に応じた信号を示す出力すると共に、ニュートラルスイッチ８２も配置されてシフトポジションがニュートラルであるときにオン信号を、フォワードあるいはリバースであるときにオフ信号を出力する。
【００４０】
エンジン３０のクランクシャフト５２の付近にはクランク角センサ８４が取り付けられ、所定のクランク角度ごとにパルス信号を出力する。また、ドライブシャフト４２の付近にはドライブシャフト回転数センサ８６が取り付けられ、ドライブシャフト４２の回転数に応じた信号を出力する。
【００４１】
スイベルケース１８の付近にはトリム角センサ（回転角センサ）８８が配置され、船外機１０のトリム角θｔｒｍ（具体的には、船体１２に対する船外機１０のピッチ軸回りの回転角）に応じた出力を生じる。
【００４２】
上記した各センサやスイッチの出力は、船外機１０に搭載された電子制御ユニット（Electronic Control Unit。以下「ＥＣＵ」という）９０に入力される。ＥＣＵ９０はＣＰＵやＲＯＭ、ＲＡＭなどを備えたマイクロ・コンピュータからなり、船外機１０のエンジンカバー３２の内部に配置（搭載）される。
【００４３】
図１に示す如く、船体１２の操縦席９２の付近には、図示しない操船者によって回転操作自在なステアリングホイール９４が配置される。ステアリングホイール９４のシャフト（図示せず）には操舵角センサ９６が取り付けられ、操船者によって入力されたステアリングホイール９４の操舵角に応じた信号を出力する。
【００４４】
操縦席９２付近にはリモートコントロールボックス１００が配置され、そこには操船者の操作自在に配置されるシフト・スロットルレバー１０２が設けられる。シフト・スロットルレバー１０２は、初期位置から前後方向に揺動操作自在とされ、操船者からのシフトチェンジ指示とエンジン回転数の調節指示を入力する。リモートコントロールボックス１００の内部にはレバー位置センサ１０４が取り付けられ、操船者によって操作されたシフト・スロットルレバー１０２の位置に応じた信号を出力する。
【００４５】
操縦席９２付近にはさらに、操船者に手動操作自在に設けられると共に、船外機１０のチルト角およびトリム角の調整指示を入力するパワーチルトトリムスイッチ（スイッチ）１０６が配置され、操船者によって入力された船外機１０のチルトアップ／ダウンおよびトリムアップ／ダウンの指示に応じた信号を出力する。これら操舵角センサ９６、レバー位置センサ１０４およびパワーチルトトリムスイッチ１０６の出力もＥＣＵ９０に入力される。
【００４６】
ＥＣＵ９０は、上記したセンサやスイッチの出力に基づいて各電動モータの動作を制御すると共に、トルクコンバータ４４のロックアップクラッチ４４ｄのオン・オフを制御し、さらにパワーチルトトリムユニット２６を作動させてトリム角を調整する。
【００４７】
図６は、図１に示すＥＣＵ９０の制御を示すフロー・チャートである。図示のプログラムは、ＥＣＵ９０によって所定の周期（例えば１００ｍｓｅｃ）ごとに実行される。
【００４８】
以下説明すると、先ずＳ１０において、ロックアップクラッチ４４ｄの動作を実行すべきか否かの判定処理（具体的には、ロックアップクラッチ４４ｄのオン・オフの制御）を行う。
【００４９】
図７は、そのロックアップクラッチ動作実行判定処理を示すサブ・ルーチン・フロー・チャートである。同図を参照して説明すると、先ずＳ１００において、シフトポジションがニュートラルか否か判断する。この判断は、ニュートラルスイッチ８２からオン信号が出力されているか否か検出することで行う。Ｓ１００で否定されるとき、即ち、インギヤのときはＳ１０２に進み、スロットル開度ＴＨをスロットル開度センサ７４の出力から検出（算出）し、Ｓ１０４に進んで検出されたスロットル開度ＴＨの所定時間（例えば５００ｍｓｅｃ）当たりの変化量（変動量）ＤＴＨを算出する。
【００５０】
次いでＳ１０６に進み、スロットル弁３８が閉弁方向に駆動されているか否か（即ち、船体１２を減速させる状態（以下「減速状態」という）にあるか否か）判断する。この判断は、スロットル開度ＴＨの変化量ＤＴＨが０ｄｅｇ未満か否か判定することで行われる。即ち、変化量ＤＴＨが負値の場合、スロットル弁３８が閉弁方向に駆動されている（減速状態にある）と判断する一方、０または正値の場合はスロットル弁３８が停止あるいは開弁方向に駆動されている（即ち、船体１２を定速で走行させる状態あるいは加速させる状態にある）と判断する。
【００５１】
Ｓ１０６で否定されるときはＳ１０８に進み、トルクコンバータ４４の加速済み判定フラグ（後述。以下「トルコン加速済み判定フラグ」という）のビットが０か否か判断する。トルコン加速済み判定フラグは初期値が０とされるため、最初のプログラムループにおいてＳ１０８の判断は通例肯定されてＳ１１０に進み、トルクコンバータ４４の増幅判定フラグ（以下「トルコン増幅判定フラグ」という）のビットが０か否か判断する。
【００５２】
このトルコン増幅判定フラグのビットは、後述する如く、トルクコンバータ４４においてエンジン３０の出力トルクを増幅させてドライブシャフト４２に伝達させる状態（即ち、船外機１０がトルクコンバータ４４でトルクを増幅させる領域（トルクの増幅領域）にあって船体１２を加速させる状態）のとき、１にセットされる一方、エンジン３０の出力トルクを増幅させないとき（即ち、船外機１０がトルクの増幅領域外にあるとき）、０にリセットされる。
【００５３】
トルコン増幅判定フラグも初期値が０とされるため、最初のプログラムループにおいてＳ１１０の判断は通例肯定されてＳ１１２に進み、スロットル弁３８が開弁方向に駆動されているか否か（即ち、船体１２を加速させる状態（以下「加速状態」という）にあるか否か）判断する。具体的には、上記で算出されたスロットル開度ＴＨの変化量ＤＴＨとスロットル用所定値（しきい値）ＤＴＨrefとを比較し、変化量ＤＴＨがスロットル用所定値ＤＴＨref以上のとき、スロットル弁３８が開弁方向に駆動されている（加速状態にある）と判断する。従って、スロットル用所定値ＤＴＨrefは、加速状態にあると判断できる値、例えば０．５ｄｅｇに設定される。
【００５４】
Ｓ１１２で否定されるとき、即ち、減速・加速のいずれの状態でもなく、船体１２を一定速度で走行させる状態と判断されるときは以降の処理をスキップする一方、肯定されるときはＳ１１４に進み、トルクコンバータ４４をロックアップオフモードで制御する。ロックアップオフモードでは、ロックアップ制御弁７０を消磁し、トルクコンバータ４４のロックアップクラッチ４４ｄをオフする。これにより、エンジン３０の出力トルクはトルクコンバータ４４によって増幅させられてドライブシャフト４２に伝達され、加速性能が向上する。
【００５５】
次いでＳ１１６に進み、トルコン増幅判定フラグのビットを１にセットし、Ｓ１１８に進んでトリムアップ許可フラグ（初期値０。後述）のビットを１にセットする。Ｓ１１６でトルコン増幅判定フラグのビットが１にセットされると、次回以降のプログラム実行時はＳ１１０で否定されてＳ１２０に進む。
【００５６】
このように、トルコン増幅判定フラグのビットが１にセットされる、即ち、船外機１０においてエンジン３０の出力トルクをトルクコンバータ４４で増幅させて船体１２を加速させる状態にあるときは、Ｓ１１０で否定されてＳ１２０以降の処理を実行する。
【００５７】
Ｓ１２０では、トルクコンバータ４４の入力回転数ＮＩＮと出力回転数ＮＯＵＴを検出（算出）する。トルクコンバータ４４の入力側はエンジン３０のクランクシャフト５２に接続されるため、入力回転数ＮＩＮは、エンジン回転数と同一であり、よってクランク角センサ８４の出力パルスをカウントすることで検出（算出）する。出力回転数ＮＯＵＴはドライブシャフト回転数センサ８６の出力から検出（算出）する。
【００５８】
次いでＳ１２２に進み、入力回転数ＮＩＮと出力回転数ＮＯＵＴからトルクコンバータ４４の速度比ｅを算出する。ここで速度比ｅとは、次式に示す如く、トルクコンバータ４４の出力回転数ＮＯＵＴを入力回転数ＮＩＮで除した値である。
速度比ｅ＝（出力回転数ＮＯＵＴ）／（入力回転数ＮＩＮ）
【００５９】
次いでＳ１２４に進み、トルクコンバータ４４においてトルクの増幅領域が終了したか否か（詳しくは、トルクの増幅領域（加速領域）が飽和して加速が終了したか否か）判断する。具体的には、算出された速度比ｅを規定値ｅrefａと比較し、速度比ｅが規定値ｅrefａ以上のとき、別言すれば、規定値ｅrefａに到達するとき、トルクの増幅領域が終了したと判断する。従って、規定値ｅrefａは、トルクコンバータ４４においてトルクの増幅領域が終了したか否か判定できるような値、例えば０．７に設定される。
【００６０】
Ｓ１２４で肯定されるときはＳ１２６に進み、入力回転数ＮＩＮの変化量ＤＮＩＮ（換言すれば、エンジン回転数の変化量（変動量））を算出する。変化量ＤＮＩＮは、前回のプログラムループで検出された入力回転数ＮＩＮから今回検出されたそれを減算して求める。
【００６１】
次いでＳ１２８に進み、加速終了後、船体１２の速度（船速）が最高速付近で安定しているか否か判断する。これは、算出された入力回転数ＮＩＮの変化量ＤＮＩＮの絶対値を既定値（しきい値）ＤＮＩＮrefと比較し、変化量ＤＮＩＮの絶対値が既定値ＤＮＩＮref以下のとき、船速が最高速付近で安定していると判断することで行う。従って、既定値ＤＮＩＮrefは、加速終了後に船速が最高速付近となって運転状態が安定している、別言すれば、変化量ＤＮＩＮが比較的少ない状態であると判定できるような値、例えば５００ｒｐｍに設定される。
【００６２】
Ｓ１２８で肯定されるときはＳ１３０に進み、トルクコンバータ４４をロックアップオンモードで制御する。ロックアップオンモードでは、ロックアップ制御弁７０を励磁し、ロックアップクラッチ４４ｄをオンする。これにより、エンジン３０のクランクシャフト５２とドライブシャフト４２が直結されるため、トルクコンバータ４４において滑りが生じず、結果として船速が（エンジン性能上の）最高速度に到達し、速度性が向上する。
【００６３】
Ｓ１３０の処理後、Ｓ１３２に進んでトルコン増幅判定フラグのビットを０にリセットする。次いでＳ１３４に進み、上記したトルコン加速済み判定フラグのビットを１にセットし、Ｓ１３６に進んでトリムアップ許可フラグのビットを０にリセットする。
【００６４】
以上から分かるように、トルコン加速済み判定フラグは、トルクコンバータ４４によるトルクの増幅を利用した加速が終了してロックアップクラッチ４４ｄがオンされた状態のとき、１にセットされる一方、それ以外のときは、後述するように０にリセットされるフラグである。また、トリムアップ許可フラグのビットが１にセットされることはスロットル弁３８が開弁方向に駆動されて船体１２を加速させる状態にあって、後述する如く速度比ｅに応じて行われるトリムアップの実行が許可されていることを、０にリセットされることは船体１２を加速させる状態になく、トリムアップの必要がないことを意味する。
【００６５】
尚、Ｓ１２４およびＳ１２８で否定されるときはトルクコンバータ４４によるトルクの増幅領域が終了（飽和）していない、あるいは船体１２の速度が最高速付近で安定していないと判断されるため、Ｓ１３０からＳ１３６の処理などをスキップしてプログラムを終了する。また、Ｓ１３４でトルコン加速済み判定フラグのビットが１にセットされると、次回以降のプログラム実行時においてはＳ１０８で否定されてＳ１１０からＳ１３６までの処理をスキップする。
【００６６】
他方、Ｓ１０６で肯定されるとき、即ち、スロットル弁３８が閉弁方向に駆動されていると判断されるとき（減速状態にあるとき）はＳ１３８に進み、トルクコンバータ４４をロックアップオフモードで制御し、次いでＳ１４０に進んでトルコン増幅判定フラグのビットを１にセットする。その後、Ｓ１４２に進んでトルコン加速済み判定フラグのビットを０にリセットし、Ｓ１４４に進んでトリムアップ許可フラグのビットも０にリセットする。
【００６７】
また、Ｓ１００で肯定されるとき、即ち、シフトポジションがニュートラルのときはＳ１４６に進み、トルクコンバータ４４をロックアップオンモードで制御する。次いでＳ１４８に進み、トルコン増幅判定フラグのビットを０にリセットし、Ｓ１５０，Ｓ１５２に進んでトルコン加速済み判定フラグとトリムアップ許可フラグのビットも０にリセットする。
【００６８】
図６フロー・チャートの説明に戻ると、次いでＳ１２に進み、船外機１０のトリムアップを実行すべきか否かの判定処理を行う。
【００６９】
図８は、そのトリムアップ実行判定処理を示すサブ・ルーチン・フロー・チャートである。図８に示す如く、先ずＳ２００においてトリムアップ許可フラグのビットが１か否か判断する。Ｓ２００で肯定されるとき、換言すれば、スロットル弁３８が開弁方向に駆動されて船体１２を加速させる状態にあるときはＳ２０２に進み、トルクコンバータ４４においてトルクの増幅領域が終了する直前か否か（詳しくは、トルクの増幅領域（加速領域）が飽和して加速が終了する直前か否か）判断する。
【００７０】
具体的には、トルクコンバータ４４の速度比ｅが所定値ｅrefｂ以上であり、かつ前記した規定値ｅrefａ未満か否か判断し、その条件を満たすときにトルクの増幅領域が終了する直前であると判断する。従って、所定値ｅrefｂは、規定値ｅrefａより小さい値にされると共に、トルクコンバータ４４においてトルクの増幅領域が終了する直前になったと判断できるような値、例えば０．６に設定される。このことから、逆に言えば、規定値ｅrefａは所定値ｅrefｂより大きい値に設定される。
【００７１】
Ｓ２０２で肯定されるときはＳ２０４に進み、トルクコンバータ４４の速度比ｅに基づいてトリムアップ信号のデューティ比を決定する。尚、トリムアップの速度は、このトリムアップ信号のデューティ比に略比例するため、Ｓ２０４はトリムアップの速度を決定する処理に相当する。
【００７２】
Ｓ２０４の処理は、図９にその特性を示すテーブル値を速度比ｅで検索することで行う。図９は速度比ｅに対するトリムアップ信号のデューティ比のテーブル特性を示すグラフである。
【００７３】
図示の如く、トリムアップ信号のデューティ比は、トルクコンバータ４４の速度比ｅに反比例するように設定される、詳しくは速度比ｅが所定値ｅrefｂのときは１００％に設定される一方、速度比ｅが増加するに連れて徐々に減少するように設定され、速度比ｅが規定値ｅrefａのときは２５％とされる。
【００７４】
次いでＳ２０６に進み、決定されたトリムアップ信号のデューティ比でパワーチルトトリムユニット２６を作動させて船外機１０のトリムアップを実行する、換言すれば、トリムアップ信号のデューティ比に応じた所定速度でトリムアップを実行（開始）する。
【００７５】
ここで、前記所定速度について詳説すると、速度比ｅが所定値ｅrefｂのとき、即ち、トリムアップを開始するとき、トリムアップ信号のデューティ比は１００％とされるため、所定速度（初期速度）は比較的高い値に設定される。
【００７６】
その後速度比ｅが増減するとき、それに応じて所定速度は変更される。具体的には、加速状態が継続され、速度比ｅが増加して規定値ｅrefａに近づくに連れて、換言すれば、加速の終了が近づくに連れてデューティ比は徐々に減少させられるため、それに伴って所定速度も徐々に減少させられる。このように、船外機１０のトリムアップは、比較的高い所定速度で開始され、速度比ｅが増加するに連れて徐々に減速させられる。
【００７７】
図８の説明に戻ると、Ｓ２０６でトリムアップが開始された後のプログラムループにおいて、速度比ｅがさらに増加して規定値ｅrefａに到達すると、Ｓ２０２で否定されてＳ２０８に進み、トリムアップを停止する。
【００７８】
尚、トルクコンバータ４４の速度比ｅが所定値ｅrefｂ未満のときもＳ２０２で否定されることとなるが、その場合はトリムアップを開始するタイミングではないため、前述したＳ２０８に進んでトリムアップを行わない。また、Ｓ２００で否定されるときはトリムアップの必要がないことから、同様にＳ２０８に進み、トリムアップを実行することなくプログラムを終了する。
【００７９】
このように構成することで、ロックアップクラッチ４４ｄがオンされる前に、パワーチルトトリムユニット２６を作動させてトリムアップを開始し、それによって船体１２の推力を増加させ、船速を上昇させることができる。また、トリムアップの停止は、速度比ｅが規定値ｅrefａに到達したときに行われるため、上記したＳ１３０の処理のロックアップクラッチ４４ｄのオンと同期して行われることとなる。
【００８０】
尚、Ｓ２０２においては、前記したパワーチルトトリムスイッチ１０６が操船者によって操作されてトリム角などの調整指示に応じた信号が入力されたか否かも同時に判断され、信号が入力されるときはトルクコンバータ４４の速度比ｅに拘わらず、入力された信号に応じてパワーチルトトリムユニット２６を作動させる。これにより、操船者はパワーチルトトリムスイッチ１０６を操作することでパワーチルトトリムユニット２６を作動させることができ、トリム角θｔｒｍの調整を常に行うことができる。
【００８１】
図１０は上記した処理を説明するタイム・チャートであり、図１１は上記処理の説明図である。尚、図１１において符号ｙは船外機１０の前後方向を、符号ｚは上下方向を示し、符号Ｗは海水あるいは淡水を、符号Ｓはその水面を示す。前後方向ｙと上下方向ｚは、船外機１０における前後、上下を意味し、船外機１０のチルト角やトリム角によっては必ずしも重力方向あるいは水平方向とは一致しない。
【００８２】
以下、図１０タイム・チャートについて図１１を参照しつつ説明すると、先ず時点ｔ１において操船者のシフト・スロットルレバー１０２の操作によってシフトポジションがニュートラルからインギヤとなり（Ｓ１００）、その後時点ｔ２においてスロットル弁３８が開弁方向に駆動されて加速状態にあると判断されると、ロックアップクラッチ４４ｄをオフする（Ｓ１１２，Ｓ１１４）。このとき、トリムアップ許可フラグのビットを１にセットする（Ｓ１１８）。
【００８３】
図１１にあっては、時点ｔ１のときは（ａ）に示す如く、船体１２と船外機１０は共に水平状態にあり、時点ｔ２以降の加速によって船速が上昇すると、船体１２は、図１１（ｂ）に示す如く、船首１２ｂが持ち上がる一方、船尾１２ａが沈み込む、いわゆるハンプ状態となる。同図から分かるように、このときのプロペラシャフト５６の軸線５６ａの方向は船体１２の進行方向に対して平行とならない。
【００８４】
その後も加速が継続され、トルクコンバータ４４の速度比ｅが所定値ｅrefｂ以上になると（時点ｔ３）、船外機１０のトリムアップを所定速度（初期速度）で開始する（Ｓ２０２〜Ｓ２０６）。そして、時点ｔ３から時点ｔ４に示すように、速度比ｅの増減に応じて所定速度を変更する、正確には、速度比ｅが増加するに連れて所定速度を減少させる。
【００８５】
時点ｔ４において速度比ｅが規定値ｅrefａに到達すると、トリムアップを停止すると共に、ロックアップクラッチ４４ｄをオンする（Ｓ１２４，Ｓ１３０，Ｓ２０２，Ｓ２０８）。尚、このとき、トリムアップ許可フラグのビットを０にリセットする（Ｓ１３６）。
【００８６】
このトリムアップの停止によってトリム角θｔｒｍが角度βに調整されると共に、バウダウンした状態を図１１（ｃ）に示す。同図から分かるように、船外機１０をトリムアップしてトリム角θｔｒｍを角度βに調整することで、プロペラシャフト５６の軸線５６ａの方向（換言すれば、船外機１０の推力の向き）は船体１２の進行方向と略平行とされ、船体１２の推力を増加できると共に、水面Ｓから受ける船体１２の抵抗を減少させることができ、よって船体１２の速度を上昇させることができる。
【００８７】
その後、操船者によってシフト・スロットルレバー１０２が操作され、時点ｔ５においてスロットル弁３８が閉弁方向に駆動されている（減速状態にある）と判断されるときはロックアップクラッチ４４ｄをオフする（Ｓ１０６，Ｓ１３８）。
【００８８】
以上の如く、この発明の実施例にあっては、内燃機関（エンジン）３０とプロペラ６０を接続するドライブシャフト４２と、前記内燃機関と前記ドライブシャフトの間に介挿されるトルクコンバータ４４と、船体１２に対するトリム角θｔｒｍをトリムアップ／ダウン方向に調整可能なトリム角調整機構（パワーチルトトリムユニット）２６とを備える船外機の制御装置において、前記トルクコンバータ４４の入力回転数ＮＩＮと出力回転数ＮＯＵＴを検出し、前記検出された入力回転数ＮＩＮと出力回転数ＮＯＵＴから前記トルクコンバータ４４の速度比ｅを算出する速度比算出手段と（ＥＣＵ９０。Ｓ１０，Ｓ１２０，Ｓ１２２）、前記算出された速度比ｅが所定値ｅrefｂ以上のとき、前記トリム角調整機構２６を作動させて前記トリムアップを所定速度で開始し、前記算出された速度比ｅが増減するとき、それに応じて前記所定速度を変更するトリム角調整機構作動手段（ＥＣＵ９０。Ｓ１２，Ｓ２０２〜Ｓ２０６）とを備えるように構成した。
【００８９】
このように、トルクコンバータ４４の入力回転数ＮＩＮと出力回転数ＮＯＵＴからトルクコンバータ４４の速度比ｅを算出し、算出された速度比ｅが所定値ｅrefｂ以上のとき、パワーチルトトリムユニット２６を作動させてトリムアップを所定速度で開始するように構成したので、例えば所定値ｅrefｂを加速が終了してロックアップクラッチ４４ｄがオンされる直前の状態に相当する値に設定することも可能となり、よってロックアップクラッチ４４ｄがオンされる前にトリムアップを開始し、船体の推力を増加させて船速を上昇させることができる。それにより、加速終了後にロックアップクラッチ４４ｄがオンされてドライブシャフト４２に伝達されるトルクが減少するときであっても、船速はトリムアップによって上昇させられているため、操船者に減速感を与え難い、換言すれば、減速感を軽減させることができる。
【００９０】
また、トリムアップを所定速度で開始し、算出された速度比ｅが増減するとき、それに応じて所定速度を変更するように構成したので、トルクコンバータ４４の速度比ｅに基づいて船体１２の状態を判断（例えば、船体１２がバウダウンした状態にあるか否か判断）し、船体１２の状態に応じた適切な速度でトリムアップを実行することが可能となり、よってトリムアップ時に生じる船体１２の縦揺れを防止することができる。
【００９１】
また、前記トリム角調整機構作動手段は、前記算出された速度比ｅが増加するに連れて前記所定速度を減少させるように構成、即ち、速度比ｅが増加して加速の終了が近づくに連れてトリムアップの速度を減少させるように構成したので、トリムアップを船体１２の状態に適した速度で実行でき、よってトリムアップ時に生じる船体１２の縦揺れを確実に防止することができる。
【００９２】
また、前記内燃機関３０のスロットル弁３８が開弁方向に駆動されているか否か判断するスロットル弁駆動方向判断手段（ＥＣＵ９０。Ｓ１０，Ｓ１１２）を備えると共に、前記トリム角調整機構作動手段は、前記スロットル弁３８が開弁方向に駆動されていると判断されると共に、前記算出された速度比ｅが前記所定値ｅrefｂ以上のとき、前記トリムアップを開始するように構成したので（Ｓ２００〜Ｓ２０６）、確実に加速していると判断されるときにトリムアップを開始でき、よって加速終了後に生じる減速感を効果的に軽減させることができる。
【００９３】
また、操船者に手動操作自在に設けられるスイッチ（パワーチルトトリムスイッチ）１０６を備えると共に、前記トリム角調整機構作動手段は、前記スイッチ１０６が操作されるとき、前記トリム角調整機構２６を作動させるように構成したので（Ｓ２０２）、操船者はパワーチルトトリムスイッチ１０６を操作することでパワーチルトトリムユニット２６を作動させることができ、よってトリム角θｔｒｍの調整を常に行うことができる。
【００９４】
尚、上記において、規定値ｅrefａや所定値ｅrefｂ、既定値ＤＮＩＮref、エンジン３０の排気量などを具体的な値で示したが、それらは例示であって限定されるものではない。
【符号の説明】
【００９５】
１０  船外機、１２  船体、２６  パワーチルトトリムユニット（トリム角調整機構）、３０  エンジン（内燃機関）、３８  スロットル弁、４２  ドライブシャフト、４４  トルクコンバータ、４４ｄ  ロックアップクラッチ、６０  プロペラ、９０  ＥＣＵ（電子制御ユニット）、１０６  パワーチルトトリムスイッチ（スイッチ）
【図１】
2010247752.tif 000003
【図２】
2010247752.tif 000004
【図３】
2010247752.tif 000005
【図４】
2010247752.tif 000006
【図５】
2010247752.tif 000007
【図６】
2010247752.tif 000008
【図７】
2010247752.tif 000009
【図８】
2010247752.tif 000010
【図９】
2010247752.tif 000011
【図１０】
2010247752.tif 000012
【図１１】
2010247752.tif 000013